(57)【要約】  一態様に基づく切削インサートは、多角形状の上面、下面、側面及び切刃を備え、切刃は、円弧形状の第１のコーナ切刃及び第２のコーナ切刃と、第１のコーナ切刃及び第２のコーナ切刃の間に位置するワイパー刃を有し、ワイパー刃は、円弧形状の第１のワイパー刃と、第１のワイパー刃よりも第２のコーナ刃の側に位置する円弧形状の第２のワイパー刃とを有し、上面視において、第１のワイパー刃の曲率半径をＲ１、第２のワイパー刃の曲率半径をＲ２、コーナ切刃の曲率半径をＲ０とした場合に、Ｒ０＜Ｒ１＜Ｒ２となっている。
2015076216.tif 000002
【特許請求の範囲】
【請求項１】
多角形状の上面と、下面と、前記上面及び前記下面のそれぞれに接続された側面と、前記上面と前記側面との交線部に位置する切刃とを備え、
前記切刃は、前記上面における互いに隣り合う角部に位置する円弧形状の第１のコーナ刃及び第２のコーナ刃と、前記第１のコーナ刃及び前記第２のコーナ刃の間に位置するワイパー刃とを有し、
前記ワイパー刃は、円弧形状の第１のワイパー刃と、前記第１のワイパー刃よりも前記第２のコーナ刃の側に位置する円弧形状の第２のワイパー刃とを有し、
上面視において、前記第１のワイパー刃の曲率半径をＲ１、前記第２のワイパー刃の曲率半径をＲ２、前記第１のコーナ刃及び前記第２のコーナ刃の曲率半径をＲ０とした場合に、Ｒ０＜Ｒ１＜Ｒ２となることを特徴とする切削インサート。
【請求項２】
前記ワイパー刃は、前記第１のワイパー刃と前記第２のワイパー刃との間に位置する円弧形状の第３のワイパー刃をさらに有しており、
上面視において、前記第３のワイパー刃の曲率半径をＲ３とした場合に、Ｒ１＜Ｒ３となることを特徴とする請求項１に記載の切削インサート。
【請求項３】
前記第３のワイパー刃は、前記ワイパー刃を上面視した場合において、前記第１のコーナ刃の中心と前記第２のコーナ刃の中心とを結ぶ仮想直線から最も離れた部位を含むように位置していることを特徴とする請求項２に記載の切削インサート。
【請求項４】
前記第３のワイパー刃は、前記第１のワイパー刃及び前記第２のワイパー刃よりも短いことを特徴とする請求項２又は３に記載の切削インサート。
【請求項５】
前記第２のワイパー刃は、前記第１のワイパー刃よりも長いことを特徴とする請求項１〜４のいずれか１つに記載の切削インサート。
【請求項６】
前記切刃は、前記第１のコーナ刃と前記第１のワイパー刃とを接続する直線形状の第１の直線刃をさらに有していることを特徴とする請求項１〜５のいずれか１つに記載の切削インサート。
【請求項７】
前記切刃は、前記第２のコーナ刃と前記第２のワイパー刃とを接続する直線形状の第２の直線刃をさらに有していることを特徴とする請求項１〜６のいずれか１つに記載の切削インサート。
【請求項８】
前記第１のワイパー刃と前記第２のワイパー刃とが連続しており、
前記ワイパー刃を上面視した場合において、前記第１のコーナ刃の中心と前記第２のコーナ刃の中心とを結ぶ仮想直線から最も離れた部分に前記第１のワイパー刃と前記第２のワイパー刃との境界が位置していることを特徴とする請求項１に記載の切削インサート。
【請求項９】
先端側にインサートポケットを有する工具本体と、
前記切刃が前記工具本体から突出するように前記インサートポケットに装着された、請求項１〜８のいずれか１つに記載の切削インサートとを具備している切削工具。
【請求項１０】
前記切刃のうち前記ワイパー刃が前記工具本体から先端方向に最も突出するように前記切削インサートが前記インサートポケットに装着されていることを特徴とする請求項９に記載の切削工具。
【請求項１１】
前記第１のワイパー刃は、少なくとも一部が前記切刃のうち前記工具本体から先端方向に最も突出する部分よりも前記工具本体の外周側に位置していることを特徴とする請求項９又は１０に記載の切削工具。
【請求項１２】
請求項９〜１１のいずれか１つに記載の切削工具を回転させる工程と、
回転している前記切削工具における前記切刃を被削材に接触させる工程と、
前記切削工具を前記被削材から離す工程とを備えた切削加工物の製造方法。
【発明の詳細な説明】
【技術分野】
【０００１】
本発明は、切削インサート、切削工具及び被削加工物の製造方法に関する。
【背景技術】
【０００２】
被削材のフライス加工に用いられる転削工具は、一般的に複数の切削インサートを備えている。このとき、被削材の加工面をより平坦に仕上げるため、特開２００１−１３８１２２号公報（特許文献１）に開示された転削工具のように、複数の切削インサート（スローアウェイチップ）の少なくとも一つを、他の切削インサートが有するさらい刃と比較して被削材に向かって突出するワイパー刃を有する構成（ワイパー刃付きスローアウェイチップ）とすることが知られている。【０００３】
特許文献１に開示された転削工具においては、ワイパー刃が、略直線形状の切刃又は曲率半径が大きな略円弧形状の切刃とされている。このような場合では、ワイパー刃付きの切削インサートによって繰り返し被削材の切削が行われるフライス加工において、先に被削材を切削するワイパー刃付きの切削インサートの回転軌跡と後に被削材を切削するワイパー刃付きの切削インサートの回転軌跡との重なり合う領域が大きくなる。そのため、ワイパー刃によって切削される切屑の厚みが過度に薄くなる可能性がある。切屑の厚みが過度に薄い場合、被削材の加工面がむしられたようにささくれ立ち、仕上げ面の状態が逆に悪化してしまう可能性があった。【０００４】
本発明は、上記の課題に鑑みてなされたものであり、むしれ現象の発生を抑制して仕上げ面の状態を良好にできる切削インサート、切削工具及び切削加工物の製造方法を提供することにある。
【発明の概要】
【０００５】
本発明の一態様に基づく切削インサートは、多角形状の上面と、下面と、前記上面及び前記下面のそれぞれに接続された側面と、前記上面と前記側面との交線部に位置する切刃とを備えている。前記切刃は、前記上面における互いに隣り合う角部に位置する円弧形状の第１のコーナ刃及び第２のコーナ刃と、前記第１のコーナ刃及び前記第２のコーナ刃の間に位置するワイパー刃とを有している。
【０００６】
前記ワイパー刃は、円弧形状の第１のワイパー刃と、前記第１のワイパー刃よりも前記第２のコーナ刃の側に位置する円弧形状の第２のワイパー刃とを有している。そして、上面視において、前記第１のワイパー刃の曲率半径をＲ１、前記第２のワイパー刃の曲率半径をＲ２、前記第１のコーナ刃及び前記第２のコーナ刃の曲率半径をＲ０とした場合に、Ｒ０＜Ｒ１＜Ｒ２となっている。
【図面の簡単な説明】
【０００７】
【図１】本発明の第１の実施形態の切削工具を示す斜視図である。
【図２】本発明の第１の実施形態の切削インサートを示す斜視図である。
【図３】図２に示す切削インサートの上面図である。
【図４】図３に示す切削インサートにおけるＡ１方向からの側面図である。
【図５】図３に示す切削インサートにおけるＡ２方向からの側面図である。
【図６】図３に示す切削インサートにおける領域Ａ３を拡大した拡大図である。
【図７】（ａ）は、図２に示す切削インサートを用いて切削加工を行なった場合の概念図である。（ｂ）は、従来の切削インサートを用いて切削加工を行なった場合の概念図である。
【図８】図３に示す切削インサートの変形例１の一部を拡大した平面図である。
【図９】図３に示す切削インサートの変形例２の一部を拡大した平面図である。
【図１０】図３に示す切削インサートの変形例３の一部を拡大した平面図である。
【図１１】図３に示す切削インサートの変形例４の一部を拡大した平面図である。
【図１２】図１に示す切削工具の側面図である。
【図１３】図１に示す切削工具の下面図である。
【図１４】本発明の一実施形態の切削加工物の製造方法の一工程を示す斜視図である。
【図１５】本発明の一実施形態の切削加工物の製造方法の一工程を示す斜視図である。
【図１６】本発明の一実施形態の切削加工物の製造方法の一工程を示す斜視図である。
【発明を実施するための形態】
【０００８】
＜切削インサート＞
以下、一実施形態の切削インサートについて、図面を用いて詳細に説明する。但し、以下で参照する各図は、説明の便宜上、実施形態の構成部材のうち、本発明を説明するために必要な主要部材のみを簡略化して示したものである。したがって、本発明の切削インサートは、本明細書が参照する各図に示されていない任意の構成部材を備え得る。また、各図中の部材の寸法は、実際の構成部材の寸法及び各部材の寸法比率等を忠実に表したものではない。
【０００９】
本実施形態のワイパー刃付きの切削インサート１（以下、便宜的に第１のインサート１ともいう）は、図１に例示されるように、後述する工具本体２０３の先端側に位置するインサートポケット２０５に着脱可能に取り付けられる切削インサートである。図１に例示する、フライス加工に用いられる切削工具２０１は、工具本体２０３、この工具本体２０３に取り付けられた、ワイパー刃を有する第１のインサート１及びワイパー刃を有さない切削インサート１０１（以下、便宜的に第２のインサート１０１ともいう）によって構成される。
【００１０】
図２〜６に示すように、本実施形態の第１のインサート１は、略多角形状の上面３と、下面５と、上面３及び下面５のそれぞれに接続された側面７と、上面３と側面７との交線部に位置する切刃９とを備えている。上面３は、切削加工時に切屑が流れるすくい面として機能する。
【００１１】
上面３は、略多角形状であり、本実施形態においては略八角形の形状をしている。ここで、略多角形状とは、厳密に多角形状であることを意味するものではない。例えば、本実施形態での上面３における角部はそれぞれ厳密な角となっておらず、丸みを帯びた形状となっている。また、上面３における辺部は、厳密に直線形状とはなっておらず、後述するようにわずかに曲線形状となっている。
【００１２】
下面５は、上面３とは反対側に位置する面であり、第１のインサート１を工具本体に取り付ける際にインサートポケットへの着座面として機能する。本実施形態における下面５は、上面３と同様に略多角形状、具体的には略八角形の形状をしている。このとき、下面５は上面３よりも一回り小さくなるように構成されている。そのため、下面５は上面３に対して相似形となるように構成されている。
【００１３】
本実施形態における切刃９は、第１のコーナ刃１１ａ及び第２のコーナ刃１１ｂと、少なくとも１つのワイパー刃１３とを有している。第１のコーナ刃１１ａ及び第２のコーナ刃１１ｂは、上面３における互いに隣り合う角部にそれぞれ位置している。上面３の角部は、上述の通り丸みを帯びた形状となっていることから、第１のコーナ刃１１ａ及び第２のコーナ刃１１ｂは、それぞれ上面視した場合に円弧形状となっている。
【００１４】
図６に示す第１のインサート１においては、第１のコーナ刃１１ａは、第１のインサート１を工具本体に取り付けた際に、第２のコーナ刃１１ｂよりも工具本体の外周側に位置する。言い換えれば、第２のコーナ刃１１ｂは、第１のインサート１を工具本体に取り付けた際に、第１のコーナ刃１１ａよりも工具本体の内周側に位置する。
【００１５】
すなわち、図６においては、右側が工具本体の外周側に相当し、左側が工具本体の内周側に相当している。また、図６の下側が、工具本体から先端方向、言い換えれば、被削材に向かって突出する方向に相当している。
【００１６】
ワイパー刃１３は互いに隣り合う第１のコーナ刃１１ａ及び第２のコーナ刃１１ｂの間、すなわち上面３の辺部に位置している。ワイパー刃１３は、被削材の加工面を平滑に仕上げる切刃として機能する。そのため、第１のインサート１を工具本体に取り付けた際に、ワイパー刃１３は、切刃９のうち工具本体から先端方向、言い換えれば、被削材に向かって最も突出する先端部９ａを含むように設けられる。本実施形態においては、ワイパー刃１３を上面視した場合における第１のコーナ刃１１ａの中心と第２のコーナ刃１１ｂの中心とを結ぶ仮想直線Ｌから最も離れた部分に先端部９ａが位置している。
【００１７】
本実施形態におけるワイパー刃１３は、第１のワイパー刃１５及び第２のワイパー刃１７を有している。第１のワイパー刃１５は、第２のワイパー刃１７よりも第１のコーナ刃１１ａの側に位置している。そのため、第１のワイパー刃１５は、第１のインサート１を工具本体に取り付けた際に、第２のワイパー刃１７よりも工具本体の外周側に位置している。本実施形態においては、第１のワイパー刃１５の少なくとも一部が、上記の先端部９ａよりも工具本体の外周側に位置するように設けられている。
【００１８】
第２のワイパー刃１７は、第１のワイパー刃１５よりも第２のコーナ刃１１ｂの側に位置している。そのため、第２のワイパー刃１７は、第１のワイパー刃１５よりも工具本体の内周側に位置するように設けられている。言い換えれば、第２のワイパー刃１７は、第１のワイパー刃１５よりも工具本体の回転中心軸の側に位置するように設けられている。本実施形態においては、第２のワイパー刃は、第１のインサート１を工具本体に取り付けた際に、少なくとも一部が先端部９ａよりも工具本体の内周側に位置するように設けられている。
【００１９】
本実施形態の第１のインサート１においては、第１のワイパー刃１５と第２のワイパー刃１７とが連続している。そして、ワイパー刃１３を上面視した場合において、第１のコーナ刃１１ａの中心と第２のコーナ刃１１ｂの中心とを結ぶ仮想直線Ｌから最も離れた部分に第１のワイパー刃１５と第２のワイパー刃１７との境界が位置している。言い換えれば、第１のワイパー刃１５と第２のワイパー刃１７との境界に先端部９ａが位置している。そのため、第１のワイパー刃１５の全体が、先端部９ａよりも工具本体の外周側に位置するように設けられている。また、第２のワイパー刃１７の全体が、先端部９ａよりも工具本体の内周側に位置するように設けられている。
【００２０】
図６に示す第１のインサート１においては、切刃９における先端部９ａが切刃９のうち最も下方に位置している。また、第１のワイパー刃１５は、第１のコーナ刃１１ａ及び第２のコーナ刃１１ｂによって挟まれたワイパー刃１３のうち工具本体の外周側、すなわち図６においては右側に位置するように設けられており、第１のコーナ刃１１ａに連続している。さらに、第２のワイパー刃１７は、第１のコーナ刃１１ａ及び第２のコーナ刃１１ｂによって挟まれたワイパー刃１３のうち工具本体の内周側、すなわち図６においては左側に位置するように設けられており、第２のコーナ刃１１ｂに連続している。
【００２１】
第１のワイパー刃１５及び第２のワイパー刃１７はそれぞれ上面視において円弧形状となるように形成されている。第１のコーナ刃１１ａ及び第２のコーナ刃１１ｂの曲率半径をＲ０、第１のワイパー刃１５の曲率半径をＲ１、第２のワイパー刃１７の曲率半径をＲ２とする。このとき、本実施形態の第１のインサート１においては、Ｒ０＜Ｒ１＜Ｒ２となっている。
【００２２】
本実施形態の第１のインサート１においては、曲率半径の小さい第１のコーナ刃１１ａ及び第２のコーナ刃１１ｂの間に曲率半径の大きなワイパー刃１３が位置している。そして、ワイパー刃１３が直線形状ではなく、曲線形状となっている。さらに、ワイパー刃１３は、一つの円弧からなる単純な円弧形状ではなく、切削加工時に外周側に位置して、相対的に曲率半径が小さい第１のワイパー刃１５、及び切削加工時に内周側に位置して、相対的に曲率半径が大きい第２のワイパー刃１７によって構成されている。
【００２３】
ワイパー刃が曲率半径の大きな一つの円弧からなる略円弧形状である場合、図７（ｂ）に示すように、切屑の厚みＤ２が非常に小さくなる。なお、図７（ａ）及び図７（ｂ）のそれぞれにおいて、先に被削材３０１を切削するワイパー刃の軌跡を一点鎖線で示している。また、次に被削材３０１を切削するワイパー刃の軌跡を実線で示している。そのため図７において、左上から右下に向かって延びる斜線の群にて示された領域がワイパー刃で切削される切屑となる。
【００２４】
図７（ａ）から明らかであるように、本実施形態の第１のインサート１においては、第１のワイパー刃１５の曲率半径が相対的に小さい。そのため、第１のワイパー刃１５の全体での切込み角が大きくなり、一点鎖線で示される、先に被削材３０１を切削するワイパー刃１３によって過度に被削材３０１を切削することが抑制される。これにより、実線で示される、次にワイパー刃付きの切削インサート１によって切削加工を行なう場合において、第２のワイパー刃１７で切削される切屑の厚みＤ１を確保できる。
【００２５】
このように切屑の厚みが確保されるので、加工面がむしられる現象の発生が抑制される。そして、上記の現象の発生が抑制されることによって、加工面の光沢も良好なものにできる。また、第２のワイパー刃１７の曲率半径が相対的に大きいため、加工面の表面粗さを安定して小さくできる。なお、上記の第１のワイパー刃１５の全体での切込み角とは、第１のワイパー刃１５における一方の端部と他方の端部を結ぶ仮想直線が被削材の加工面に対して成す角度を意味している。
【００２６】
上記の実施形態における第１のコーナ刃１１ａ及び第２のコーナ刃１１ｂの曲率半径Ｒ０は、０．４〜２ｍｍ程度に設定される。第１のワイパー刃１５の曲率半径Ｒ１は、５０〜２００ｍｍ程度に設定される。第２のワイパー刃１７の曲率半径Ｒ２は、２００〜８００ｍｍ程度に設定される。
【００２７】
上面３における辺部に位置するワイパー刃１３が、円弧形状の第１のワイパー刃１５及び円弧形状の第２のワイパー刃１７によって構成されている。そのため、上面３における辺部は、わずかに曲線形状となっている。
【００２８】
また、本実施形態においては、第２のワイパー刃１７が第１のワイパー刃１５よりも長い構成になっている。これにより、第１のワイパー刃１５の切込み角を大きく確保しつつ、第２のワイパー刃１７の長さを確保することができる。そのため、切込み角の相対的に小さな第２のワイパー刃１７の長さを長く確保できるので、加工面の平坦性を高めることができる。
【００２９】
上面３と側面７との交線部は、２つの面が交わることによる厳密な線形状でなくてもよい。上面３と側面７との交線部が尖っていると、切刃９の耐久性が低下する。そのため、上面３と側面７とが交わる部分がわずかに曲面形状となっている、いわゆるホーニング加工が施されていてもよい。
【００３０】
第１のインサート１の材質としては、例えば、超硬合金あるいはサーメットなどが挙げられる。超硬合金の組成としては、例えば、炭化タングステン（ＷＣ）にコバルト（Ｃｏ）の粉末を加えて焼結して生成されるＷＣ−Ｃｏ、ＷＣ−Ｃｏに炭化チタン（ＴｉＣ）を添加したＷＣ−ＴｉＣ−Ｃｏ、あるいはＷＣ−ＴｉＣ−Ｃｏに炭化タンタル（ＴａＣ）を添加したＷＣ−ＴｉＣ−ＴａＣ−Ｃｏがある。また、サーメットは、セラミック成分に金属を複合させた焼結複合材料であり、具体的には、炭化チタン（ＴｉＣ）、又は窒化チタン（ＴｉＮ）を主成分としたチタン化合物が挙げられる。
【００３１】
第１のインサート１の表面は、化学蒸着（ＣＶＤ）法又は物理蒸着（ＰＶＤ）法を用いて被膜でコーティングされていてもよい。被膜の組成としては、炭化チタン（ＴｉＣ）、窒化チタン（ＴｉＮ）、炭窒化チタン（ＴｉＣＮ）又はアルミナ（Ａｌ２Ｏ３）などが挙げられる。
【００３２】
なお、上面３及び下面５の形状としては、上記の形態に限定されるものではない。本実施形態の第１のインサート１においては上面視した場合の上面３の形状が略八角形であったが、例えば、上面視した場合の上面３の形状が三角形、四角形、五角形、六角形のような多角形状であってもよい。
【００３３】
上面３の中心から下面５の中心にかけては貫通孔１９が形成されている。貫通孔１９は、第１のインサート１を切削工具の工具本体にネジ止め固定する際にネジを挿入するために設けられている。貫通孔１９の中心軸Ｘの方向、言い換えれば貫通方向は、上面３及び下面５に対して直交している。
【００３４】
本実施形態の第１のインサート１における上面３を上面視した場合の最大幅は２０〜３０ｍｍである。また、下面５から上面３までの高さは３〜７ｍｍである。ここで、下面５から上面３までの高さとは、上面３の上端と下面５の下端との間における貫通孔１９に平行な方向での幅を意味している。
【００３５】
＜切削工具＞
次に、本発明の一実施形態の切削工具２０１について図面を用いて説明する。
【００３６】
本実施形態の切削工具２０１は、図１、１２及び１３に示すように、回転中心軸Ｙを有し、先端側の外周面に複数のインサートポケット２０５を有する工具本体２０３（以下、ホルダ２０３とも言う）と、インサートポケット２０５の少なくとも一つに装着される上記の第１のインサート１と、第１のインサート１が装着されていないインサートポケット２０５に装着された第２のインサート１０１とを備えている。
【００３７】
第２のインサート１０１は、第１のインサート１に類似した構成であって、第１のインサート１におけるワイパー刃１３を有さない構成となっている。具体的には、第２のインサート１０１は、第１のインサート１と同様に、略多角形状である上面及び下面、ならびに上面と下面との間に側面を有している。また、第２のインサート１０１における上面と側面との交線部には切刃が形成されている。ただし、第２のインサート１０１における切刃はワイパー刃を有していない。
【００３８】
第２のインサート１０１における、第１のインサート１の第１のコーナ刃１１ａと第２のコーナ刃１１ｂとを結ぶワイパー刃１３に対応する部分は、直線形状となっている。そのため、第１のインサート１及び第２のインサート１０１をホルダ２０３に装着した場合において、第２のインサート１０１における上記の切刃の部分は第１のインサート１のワイパー刃１３よりもホルダ２０３の後端側に位置している。このように、第１のインサート１におけるワイパー刃１３が、第２のインサート１０１における切刃よりも先端方向に突出していることによって、被削材の加工面をワイパー刃１３で良好に仕上げることができる。
【００３９】
ワイパー刃１３を備えている第１のインサート１は、ワイパー刃を備えていない第２のインサート１０１と比較して大きな負荷が加わる。そのため、ホルダ２０３には複数の第１のインサート１のみを装着してもよいが、一般的には、第１のインサート１に加えて第２のインサート１０１もホルダ２０３に装着される。ワイパー刃１３を備えている第１のインサート１及びワイパー刃を備えていない第２のインサート１０１をホルダ２０３に装着する場合には、通常、第２のインサート１０１が第１のインサート１よりも数多くホルダ２０３に装着される。
【００４０】
ホルダ２０３は、回転中心軸Ｙを中心とする略回転体形状をなす。そして、ホルダ２０３の先端側の外周面には、インサートポケット２０５が等間隔に複数設けられている。インサートポケット２０５は、第１のインサート１又は第２のインサート１０１が装着される部分であり、ホルダ２０３の外周面及び先端面に開口している。具体的には、インサートポケット２０５は、回転方向に対向する着座面と、着座面の交差する方向に位置する、２つの拘束側面とを有している。
【００４１】
そして、ホルダ２０３に設けられた複数のインサートポケット２０５に、第１のインサート１又は第２のインサート１０１が装着される。第１のインサート１は、少なくとも切刃９におけるワイパー刃１３がホルダ２０３から先端方向に突出するようにホルダ２０３に装着される。このとき、ワイパー刃１３における先端部９ａが、ホルダ２０３から先端方向に最も突出するように位置している。本実施形態においては、切刃９のうちワイパー刃１３がホルダ２０３から先端方向に最も突出するように第１のインサート１がインサートポケット２０５に装着されている。これにより、切屑の厚みが確保されるので、加工面がむしられる現象の発生が抑制される。
【００４２】
第２のインサート１０１は、上面の外周に形成された切刃がホルダ２０３から先端方向に突出するようにホルダ２０３に装着される。このとき、上述のように、第１のインサート１におけるワイパー刃１３が、第２のインサート１０１における切刃よりも先端方向に突出している。
【００４３】
上記の実施形態の第１のインサート１は、ワイパー刃１３が、直線形状あるいは一つの円弧からなる単純な円弧形状ではなく、上記の第１のワイパー刃１５及び第２のワイパー刃１７を有している。ワイパー刃１３を用いて切削加工を複数回行う場合において、第１のワイパー刃１５の曲率半径が相対的に小さいことから、先の切削加工で過度に被削材を切削することが抑制される。そのため、後の切削加工において第２のワイパー刃１７を用いて切削加工を行なう際に、切屑の厚みを大きく確保することができる。
【００４４】
本実施形態においては、第１のインサート１及び第２のインサート１０１は、それぞれネジ２０７によって、インサートポケット２０５に装着されている。すなわち、第１のインサート１及び第２のインサート１０１の貫通孔１９にそれぞれネジ２０７を挿入し、これらのネジ２０７の先端をインサートポケット２０５に形成されたネジ孔（不図示）に挿入してネジ部同士を螺合させることによって、第１のインサート１及び第２のインサート１０１がホルダ２０３に固定されている。
【００４５】
ホルダ２０３としては、鋼、鋳鉄などを用いることができる。本実施形態では、これらの部材の中で靱性の高い鋼が用いられている。
【００４６】
＜変形例１＞
次に、上記の実施形態の第１のインサート１の変形例１について図８を用いて説明する。なお、図８は、変形例１の一部であって、図３に示す第１のインサート１における図６に示す領域に対応する部分を拡大した上面図である。
【００４７】
上記の実施形態の第１のインサート１においては、先端部９ａが第１のワイパー刃１５と第２のワイパー刃１７との境界に位置しているが、第１のワイパー刃１５及び第２のワイパー刃１７の位置としては、このような形態に限られるものではない。第１のワイパー刃１５は、少なくとも一部が先端部９ａよりも工具本体の外周側に位置すればよい。そのため、図８に示すように、先端部９ａが第１のワイパー刃１５に含まれているような構成であってもよい。
【００４８】
また、上記の実施形態の第１のインサート１においては、第２のワイパー刃１７の全体が、先端部９ａよりも工具本体の内周側に位置するように設けられているが、上記の変形例１の構成に代えて、先端部９ａが第２のワイパー刃１７に含まれているような構成であってもよい。
【００４９】
＜変形例２＞
次に、上記の実施形態の第１のインサート１の変形例２について図９を用いて説明する。なお、図９は、変形例２の一部であって、図３に示す第１のインサート１における図６に示す領域に対応する部分を拡大した上面図である。
【００５０】
上記の実施形態の第１のインサート１においては、ワイパー刃１３が第１のワイパー刃１５及び第２のワイパー刃１７によって構成されていたが、ワイパー刃１３の構成としては、このような形態に限られるものではない。
【００５１】
本変形例の第１のインサート１においては、ワイパー刃１３が、第１のワイパー刃１５と第２のワイパー刃１７との間に位置する円弧形状の第３のワイパー刃２１をさらに有している。このとき、上面視において、第３のワイパー刃２１の曲率半径をＲ３とした場合に、Ｒ１＜Ｒ３となっている。本変形例ではＲ１＜Ｒ３＜Ｒ２となっている。第３のワイパー刃２１の曲率半径Ｒ３は、２００〜８００ｍｍ程度に設定される。
【００５２】
なお、本変形例ではＲ１＜Ｒ３＜Ｒ２となっているが、特にこのように限定されるものではなく、たとえばＲ１＜Ｒ２＜Ｒ３であってもよい。
【００５３】
ワイパー刃１３が、このような第３のワイパー刃２１を有している場合には、第１のワイパー刃１５の切込み角を大きくし易い。そのため、第２のワイパー刃１７によって切削される切屑の厚みをさらに大きく確保し易くなる。結果として、第３のワイパー刃２１を有している場合には、仕上げ面の状態をさらに良好なものにできる。第１のワイパー刃１５の切込み角を大きくしつつ、第２のワイパー刃１７の切込み角を小さくするため、本変形例では、第３のワイパー刃２１は、先端部９ａを含むように位置している。
【００５４】
言い換えれば、第１のワイパー刃１５の切込み角を大きくしつつ、第２のワイパー刃１７の切込み角を小さくするため、本変形例においては、第３のワイパー刃２１は、ワイパー刃１３を上面視した場合において、第１のコーナ刃１１ａの中心と第２のコーナ刃１１ｂの中心とを結ぶ仮想直線Ｌから最も離れた部位を含むように位置している。
【００５５】
また、本変形例においては、第３のワイパー刃２１の長さが第１のワイパー刃１５及び第２のワイパー刃１７の長さよりも短い構成になっている。これにより、ワイパー刃１３全体の長さを過度に大きくすることなく、第１のワイパー刃１５及び第２のワイパー刃１７の長さを確保することができる。
【００５６】
＜変形例３＞
次に、上記の実施形態の第１のインサート１の変形例３について図１０を用いて説明する。なお、図１０は、変形例３の一部であって、図３に示す第１のインサート１における図６に示す領域に対応する部分を拡大した上面図である。
【００５７】
上記の実施形態の第１のインサート１においては、ワイパー刃１３が円弧形状の第１のワイパー刃１５及び円弧形状の第２のワイパー刃１７によって構成されているが、ワイパー刃１３の構成としては、このような形態に限られるものではない。
【００５８】
本変形例の第１のインサート１においては、ワイパー刃１３が、第１のコーナ刃１１ａと第１のワイパー刃１５とを接続する直線形状の第１の直線刃２３をさらに有している。ワイパー刃１３がこのような構成を有している場合には、第１のワイパー刃１５及び第１の直線刃２３によって構成される、ワイパー刃１３における先端部９ａよりも工具本体の外周側に位置する部分の長さを短くできる。
【００５９】
＜変形例４＞
次に、上記の実施形態の第１のインサート１の変形例４について図１１を用いて説明する。なお、図１１は、変形例４の一部であって、図３に示す第１のインサート１における図６に示す領域に対応する部分を拡大した上面図である。
【００６０】
上記の変形例３においては、ワイパー刃１３が、第１のコーナ刃１１ａと第１のワイパー刃１５とを接続する直線形状の第１の直線刃２３をさらに有しているが、本変形例の第１のインサート１においては、ワイパー刃１３が、第２のコーナ刃１１ｂと第２のワイパー刃１７とを接続する直線形状の第２の直線刃２５を有している。
【００６１】
ワイパー刃１３がこのような構成を有している場合には、第２のワイパー刃１７及び第２の直線刃２５によって構成される、ワイパー刃１３における先端部９ａよりも工具本体の内周側に位置する部分全体の切込み角を小さくできる。そのため、被削材の仕上げ面の表面粗さを小さくできる。
【００６２】
＜切削加工物の製造方法＞
次に、本発明の一実施形態の切削加工物の製造方法について図面を用いて説明する。
【００６３】
切削加工物は、被削材３０１を切削加工することによって作製される。本実施形態における製造方法は、以下の工程を備えている。すなわち、
（１）上記実施形態に代表される切削工具２０１を回転させる工程と、
（２）回転している切削工具２０１における切刃９を被削材３０１に接触させる工程と、
（３）切削工具２０１を被削材３０１から離す工程と、
を備えている。
【００６４】
より具体的には、まず、図１４に示すように、切削工具２０１を回転させながら被削材３０１に相対的に近付ける。次に、図１５に示すように、第１のインサート１における切刃９及び第２のインサート１０１における切刃を被削材３０１に接触させて、被削材３０１を切削する。そして、図１６に示すように、切削工具２０１を被削材３０１から相対的に遠ざける。
【００６５】
本実施形態においては、被削材３０１を固定するとともに切削工具２０１を近づけている。また、図１４、１５においては、被削材３０１を固定するとともに切削工具２０１を回転させている。また、図１６においては、被削材３０１を固定するとともに切削工具２０１を遠ざけている。なお、本実施形態の製造方法における切削加工では、それぞれの工程において、被削材３０１を固定するとともに切削工具２０１を動かしているが、当然ながらこのような形態に限定されるものではない。
【００６６】
例えば、（１）の工程において、被削材３０１を切削工具２０１に近づけてもよい。同様に、（３）の工程において、被削材３０１を切削工具２０１から遠ざけてもよい。切削加工を継続する場合には、切削工具２０１を回転させた状態を維持して、被削材３０１の異なる箇所に第１のインサート１における切刃９及び第２のインサート１０１における切刃を接触させる工程を繰り返せばよい。
【００６７】
なお、被削材３０１の材質の代表例としては、炭素鋼、合金鋼、ステンレス、鋳鉄、又は非鉄金属などが挙げられる。
【符号の説明】
【００６８】
１・・・切削インサート（第１のインサート）
３・・・上面
５・・・下面
７・・・側面
９・・・切刃
９ａ・・・先端部
１１ａ・・・第１のコーナ刃
１１ｂ・・・第２のコーナ刃
１３・・・ワイパー刃
１５・・・第１のワイパー刃
１７・・・第２のワイパー刃
１９・・・貫通孔
２１・・・第３のワイパー刃
２３・・・第１の直線刃
２５・・・第２の直線刃
１０１・・・切削インサート（第２のインサート）
２０１・・・切削工具
２０３・・・工具本体（ホルダ）
２０５・・・インサートポケット
２０７・・・ネジ
３０１・・・被削材
【図１】
2015076216.tif 000003
【図２】
2015076216.tif 000004
【図３】
2015076216.tif 000005
【図４】
2015076216.tif 000006
【図５】
2015076216.tif 000007
【図６】
2015076216.tif 000008
【図７】
2015076216.tif 000009
【図８】
2015076216.tif 000010
【図９】
2015076216.tif 000011
【図１０】
2015076216.tif 000012
【図１１】
2015076216.tif 000013
【図１２】
2015076216.tif 000014
【図１３】
2015076216.tif 000015
【図１４】
2015076216.tif 000016
【図１５】
2015076216.tif 000017
【図１６】
2015076216.tif 000018
【国際調査報告】
2015076216.tif 000019
2015076216.tif 000020
2015076216.tif 000021
2015076216.tif 000022